(57)【要約】      （修正有）【課題】製造コストを低減し、放熱効率を向上させることができるフリップチップ発光ダイオードおよびその製造方法を提供する。【解決手段】フリップチップ発光ダイオードは、包装体３０および導体層を備える。少なくとも１つの発光ダイオードチップ３５が包装体内に封止される。発光ダイオードチップは、包装体の側面上に露出された正極３５１および負極３５２を有する。導体層は、包装体の側面上に配置され、発光ダイオードチップの正極および負極と直接接触する。導体層は、発光ダイオードチップの正極および負極を互いに絶縁する絶縁部３３および回路パターンを有する。【選択図】図２
2016152415.tif 000002
【特許請求の範囲】
【請求項１】
包装体の側面上に露出する正極および負極を有する少なくとも１つの発光ダイオードチップを含む包装体を提供するステップと、
前記発光ダイオードチップの前記正極および前記負極が互いに絶縁されるように、前記包装体の側面上に導体を形成するステップと、
を含むフリップチップ発光ダイオードの製造方法。
【請求項２】
前記導体を形成するステップが、
前記包装体の側面上に導体層を形成するステップと、
前記導体層の外面上にパターン状開口部を有するマスキング部を形成するステップと、
前記マスキング部のパターン状開口部を通して前記導体層をエッチングして前記発光ダイオードチップの前記正極と前記負極との間に絶縁部を形成するステップと、
を含む、請求項１に記載のフリップチップ発光ダイオードの製造方法。
【請求項３】
前記マスキング部が、スクリーン印刷法またはフォトリソグラフィ法によって形成された前記導体層の外面上の感光性接着剤であり、
前記導体を形成するステップが、前記絶縁部が形成された後に、前記感光性接着剤の層を除去するステップをさらに含む、請求項２に記載のフリップチップ発光ダイオードの製造方法。
【請求項４】
前記導体を形成するステップが、前記感光性接着剤の層が除去された後に、前記絶縁部内および前記導体層の外面上に伝熱絶縁接着剤を塗布するステップをさらに含む、請求項３に記載のフリップチップ発光ダイオードの製造方法。
【請求項５】
前記マスキング部が、スクリーン印刷法によって前記導体層の外面上に形成された伝熱絶縁接着剤の層である、請求項２に記載のフリップチップ発光ダイオードの製造方法。
【請求項６】
前記導体を形成するステップが、前記絶縁部内に追加の伝熱絶縁接着剤を塗布するステップをさらに含む、請求項５に記載のフリップチップ発光ダイオードの製造方法。
【請求項７】
前記導体層が、前記包装体の側面上に形成された第１金属層と前記第１金属層の外面上に形成された第２金属層とを備え、前記第２金属層の外面が前記導体層の外面である、請求項２に記載のフリップチップ発光ダイオードの製造方法。
【請求項８】
前記第１金属層の厚さが前記第２金属層の厚さよりも薄い、請求項７に記載のフリップチップ発光ダイオードの製造方法。
【請求項９】
前記第１金属層が、堆積法、スパッタ法、および化学めっき法から選択された方法によって作製され、前記第２金属層が、電気めっき法によって作製される、請求項８に記載のフリップチップ発光ダイオードの製造方法。
【請求項１０】
前記マスキング部が、スクリーン印刷法またはフォトリソグラフィ法によって形成された前記第２金属層の外面上の感光性接着剤の層であり、前記導体を形成するステップが、前記絶縁部が形成された後に、前記感光性接着剤の層を除去するステップをさらに含む、請求項７に記載のフリップチップ発光ダイオードの製造方法。
【請求項１１】
前記導体を形成するステップが、前記感光性接着剤の層が除去された後に、前記絶縁部内および前記第２金属層の外面上に伝熱絶縁接着剤を塗布するステップをさらに含む、請求項１０に記載のフリップチップ発光ダイオードの製造方法。
【請求項１２】
前記マスキング部が、スクリーン印刷法によって形成された前記第２金属層の外面上の伝熱絶縁接着剤の層である、請求項７に記載のフリップチップ発光ダイオードの製造方法。
【請求項１３】
前記導体を形成するステップが、前記絶縁部内に追加の伝熱絶縁接着剤を塗布するステップをさらに含む、請求項１２に記載のフリップチップ発光ダイオードの製造方法。
【請求項１４】
前記導体を形成するステップが、
前記包装体の側面上に導体層をスクリーン印刷して回路パターンを形成するステップと、
前記導体層を硬化するステップと、
を含む、請求項１に記載のフリップチップ発光ダイオードの製造方法。
【請求項１５】
前記包装体に伝熱絶縁接着剤を塗布して前記回路パターンを被覆するステップをさらに含む、請求項１４に記載のフリップチップ発光ダイオードの製造方法。
【請求項１６】
前記導体層が導電銀ペーストであり、前記導電銀ペーストが焼結法によって硬化される、請求項１４に記載のフリップチップ発光ダイオードの製造方法。
【請求項１７】
前記導体層が、高分子材料および導電性材料を含む導電性接着剤であり、前記導電性接着剤が熱硬化法によって硬化される、請求項１４に記載のフリップチップ発光ダイオードの製造方法。
【請求項１８】
前記導体を形成するステップが、
前記包装体の側面上に仕切部を形成するステップであって、前記仕切部が前記発光ダイオードチップの前記正極と前記負極との間に少なくとも位置するステップと、
前記仕切部が形成された以外の位置の前記包装体の側面上に導体層を形成するステップと、
を含む、請求項１に記載のフリップチップ発光ダイオードの製造方法。
【請求項１９】
前記仕切部が、スクリーン印刷法またはフォトリソグラフィ法によって形成された感光性接着剤の層であり、
前記導体を形成するステップが、前記導体層中に絶縁部が形成されるように、前記導体層を形成した後に前記感光性接着剤の層を除去するするステップをさらに含む、請求項１８に記載のフリップチップ発光ダイオードの製造方法。
【請求項２０】
前記導体を形成するステップが、前記感光性接着剤の層を除去した後に、前記絶縁部内および前記導体層の外面上に伝熱絶縁接着剤を塗布するステップをさらに含む、請求項１９に記載のフリップチップ発光ダイオードの製造方法。
【請求項２１】
前記仕切部が、スクリーン印刷法によって形成された伝熱絶縁接着剤の層である、請求項１８に記載のフリップチップ発光ダイオードの製造方法。
【請求項２２】
前記導体を形成するステップが、前記導体層の外面上に追加の伝熱絶縁接着剤を塗布するステップをさらに含む、請求項２１に記載のフリップチップ発光ダイオードの製造方法。
【請求項２３】
前記導体層が、前記仕切部が形成された以外の位置の前記包装体の外面上に形成された第１金属層と、前記第１金属層の外面上に形成された第２金属層とを含む、請求項１８に記載のフリップチップ発光ダイオードの製造方法。
【請求項２４】
前記第１金属層の厚さが前記第２金属層の厚さよりも薄い、請求項２３に記載のフリップチップ発光ダイオードの製造方法。
【請求項２５】
前記第１金属層が、堆積法、スパッタ法、および化学めっき法から選択された方法によって作製され、前記第２金属層が、電気めっき法によって作製される、請求項２４に記載のフリップチップ発光ダイオードの製造方法。
【請求項２６】
前記仕切部が、スクリーン印刷法またはフォトリソグラフィ法によって形成された感光性接着剤の層であり、
前記導体を形成するステップが、前記第１金属層および前記第２金属層中に絶縁部が形成されるように、前記第１金属層および前記第２金属層を形成した後に前記感光性接着剤の層を除去するステップをさらに含む、請求項２３に記載のフリップチップ発光ダイオードの製造方法。
【請求項２７】
前記導体を形成するステップが、前記感光性接着剤の層を除去した後に、前記絶縁部内および前記第２金属層の外面上に伝熱絶縁接着剤を塗布するステップをさらに含む、請求項２６に記載のフリップチップ発光ダイオードの製造方法。
【請求項２８】
前記仕切部が、スクリーン印刷法によって形成された伝熱絶縁接着剤の層である、請求項２３に記載のフリップチップ発光ダイオードの製造方法。
【請求項２９】
前記導体を形成するステップが、前記第２金属層の外面上に追加の伝熱絶縁接着剤を塗布するステップをさらに含む、請求項２８に記載のフリップチップ発光ダイオードの製造方法。
【請求項３０】
少なくとも１つの発光ダイオードチップが封止された包装体であって、前記発光ダイオードチップが正極および負極を有し、前記正極および前記負極が前記包装体の側面上に露出されている、包装体と、
前記包装体の側面上に配置され、前記発光ダイオードチップの前記正極および前記負極と直接接触している導体層であって、回路パターンと、前記発光ダイオードチップの前記正極および前記負極を互いに絶縁する絶縁部とを有する導体層と、
を備えるフリップチップ発光ダイオード。
【請求項３１】
前記導体層の外面を被覆し、かつ前記絶縁部内に延在する伝熱絶縁層をさらに備える請求項３０に記載のフリップチップ発光ダイオード。
【請求項３２】
前記導体層が、前記包装体の側面上に形成された第１金属層と、前記第１金属層の外面上に形成された第２金属層とを含む請求項３０に記載のフリップチップ発光ダイオード。
【請求項３３】
前記第１金属層が、堆積法、スパッタ法、および化学めっき法から選択された方法によって作製され、前記第２金属層が電気めっき法によって作製された請求項３２に記載のフリップチップ発光ダイオード。
【請求項３４】
前記フリップチップ発光ダイオードが柔軟性を有する請求項３３に記載のフリップチップ発光ダイオード。
【請求項３５】
前記導体層の外面を被覆し、かつ前記絶縁部内に延在する伝熱絶縁層をさらに備える請求項３２に記載のフリップチップ発光ダイオード。
【発明の詳細な説明】
【技術分野】
【０００１】
本発明は、フリップチップ発光ダイオードおよびその製造方法に関し、特に、製造コストを低減し、放熱効率を向上させることができるフリップチップ発光ダイオードおよびその製造方法に関する。
【背景技術】
【０００２】
従来の光源と比較すると、発光ダイオード（ＬＥＤ）は、その高い発光効率および低い電力消費のために、光源として広く使用されている。実際の応用では、発光ダイオード装置は、発光効果を達成するために複数の発光ダイオードチップを同一基板に並列または直列に組み立てることによって形成される。しかしながら、特に複数の発光ダイオードチップが高密度で同一基板に組み立てられている場合、複数の発光ダイオードチップが光を生成すると多くの熱が生成されるため、熱が効率的な方法で外部に放散されずに基板上に集められると、発光ダイオード装置に望ましくない影響を及ぼし得る。
【０００３】
近年、フリップチップ発光ダイオードと呼ばれる発光ダイオードが知られている。そのようなフリップチップ発光ダイオードは、発光ダイオードチップの正極および負極を回路基板に面するその側面上に配置し、発光ダイオードチップの正極および負極を回路基板に直接溶接することによって主に形成される。このとき、発光するときに発光ダイオードチップから生成される熱は、はんだ、導電銅箔、絶縁インク、および金属またはセラミック製の基板本体によって形成される熱伝導経路を通って正極および負極から放熱構造体へと伝達され、外部に放熱される。しかしながら、そのような熱伝導経路の熱抵抗は高いため、フリップチップ発光ダイオードにとって最適な放熱効果を達成するのは困難である。さらに、上述の構造には多くの要素が含まれるため、製造プロセスが複雑であり、製造コストを低減するのが困難である。
【発明の概要】
【発明が解決しようとする課題】
【０００４】
上述の課題を解決するため、本発明の目的は、製造コストを低減し、放熱効率を向上させることができるフリップチップ発光ダイオードおよびその製造方法を提供することにある。
【課題を解決するための手段】
【０００５】
本発明の第１の態様によると、包装体の側面上に露出する正極および負極を有する少なくとも１つの発光ダイオードチップを含む包装体を提供するステップと、前記発光ダイオードチップの前記正極および前記負極が互いに絶縁されるように、前記包装体の側面上に導体を形成するステップと、を含むフリップチップ発光ダイオードの製造方法が提供される。
【０００６】
本発明の第２の態様によると、包装体および導体層を備えたフリップチップ発光ダイオードが提供される。少なくとも１つの発光ダイオードチップが包装体内に封止される。発光ダイオードチップは、包装体の側面上に露出された正極および負極を有する。導体層は、包装体の側面上に配置され、発光ダイオードチップの正極および負極と直接接触しており、導体層は、回路パターンと、正極および負極を互いに絶縁する絶縁部とを有する。
【０００７】
本発明のさらなる特徴および利点は、以下の詳細な説明および図面を参照することで理解されるであろう。
【図面の簡単な説明】
【０００８】
【図１】本発明の第１の実施形態によるフリップチップ発光ダイオードの概略的透視図である。
【図２】図１の線Ａ−Ａに沿った概略的断面図である。
【図３】本発明による包装体の概略的透視図である。
【図４Ａ】本発明の第１の実施形態によるフリップチップ発光ダイオードの第１製造方法を示す概略図である。
【図４Ｂ】本発明の第１の実施形態によるフリップチップ発光ダイオードの第１製造方法を示す概略図である。
【図４Ｃ】本発明の第１の実施形態によるフリップチップ発光ダイオードの第１製造方法を示す概略図である。
【図４Ｄ】本発明の第１の実施形態によるフリップチップ発光ダイオードの第１製造方法を示す概略図である。
【図４Ｅ】本発明の第１の実施形態によるフリップチップ発光ダイオードの第１製造方法を示す概略図である。
【図４Ｆ】本発明の第１の実施形態によるフリップチップ発光ダイオードの第１製造方法を示す概略図である。
【図４Ｇ】本発明の第１の実施形態によるフリップチップ発光ダイオードの第１製造方法を示す概略図である。
【図５】切断経路を示す概略図である。
【図６Ａ】本発明の第１の実施形態によるフリップチップ発光ダイオードの第２製造方法を示す概略図である。
【図６Ｂ】本発明の第１の実施形態によるフリップチップ発光ダイオードの第２製造方法を示す概略図である。
【図６Ｃ】本発明の第１の実施形態によるフリップチップ発光ダイオードの第２製造方法を示す概略図である。
【図６Ｄ】本発明の第１の実施形態によるフリップチップ発光ダイオードの第２製造方法を示す概略図である。
【図６Ｅ】本発明の第１の実施形態によるフリップチップ発光ダイオードの第２製造方法を示す概略図である。
【図６Ｆ】本発明の第１の実施形態によるフリップチップ発光ダイオードの第２製造方法を示す概略図である。
【図７】図６Ｃの概略的透視図である。
【図８】本発明の第２の実施形態によるフリップチップ発光ダイオードの概略的透視図である。
【図９】図８の線Ｃ−Ｃに沿った概略的断面図である。
【図１０Ａ】本発明の第２の実施形態によるフリップチップ発光ダイオードの第１製造方法を示す概略図である。
【図１０Ｂ】本発明の第２の実施形態によるフリップチップ発光ダイオードの第１製造方法を示す概略図である。
【図１１Ａ】本発明の第２の実施形態によるフリップチップ発光ダイオードの第２製造方法を示す概略図である。
【図１１Ｂ】本発明の第２の実施形態によるフリップチップ発光ダイオードの第２製造方法を示す概略図である。
【図１１Ｃ】本発明の第２の実施形態によるフリップチップ発光ダイオードの第２製造方法を示す概略図である。
【図１１Ｄ】本発明の第２の実施形態によるフリップチップ発光ダイオードの第２製造方法を示す概略図である。
【発明を実施するための形態】
【０００９】
（第１の実施形態）
図１および２は、本発明の第１の実施形態によるフリップチップ発光ダイオードを示す。図１は、本発明の第１の実施形態によるフリップチップ発光ダイオードの概略的透視図であり、図２は、図１の線Ａ−Ａに沿った概略的断面図である。
【００１０】
図１および２を参照すると、本発明の第１の実施形態によるフリップチップ発光ダイオード３は、包装体３０、第１金属層３１、第２金属層３２、および絶縁部３３を備える。包装体３０は、封止材料３９によって封止された発光ダイオードチップ３５を備える。各発光ダイオードチップ３５は、包装体３０の側面上に露出する正極３５１および負極３５２を有する。第１金属層３１は、包装体３０の側面上に形成され、それぞれ発光第オードチップ３５の各々の正極３５１および負極３５２と接触している。第２金属層３２は、第１金属層３１上に形成される。絶縁部３３は、発光ダイオードチップ３５の各々の正極３５１および負極３５２を互いに絶縁するために第１金属層３１および第２金属層３２に形成された間隙であり得る。
【００１１】
本実施形態のフリップチップ発光ダイオード３は２つの金属層（つまり、第１金属層３５１および第２金属層３５２）を備えるが、当業者であればこのような２つの金属層を単一の金属層またはより多くの金属層に置き替えることができ、包装体の側面上に形成される単一または複数の金属層が回路パターンを有し得ることを認識できる。さらに、本実施形態では、包装体３０が、封止材料３９内に封止された発光ダイオードチップ３５を備えることを単に示しているが、発光ダイオードチップ３５とともに作動し得る、電流制限抵抗、過電流保護素子、静電保護素子、および類似のもの等のその他の電気素子もまた封止材料３９内に封止され得る。
【００１２】
次に、本発明の第１の実施形態によるフリップチップ発光ダイオードの２つの異なる製造方法について説明する。
【００１３】
図３、４Ａ〜４Ｇ、および５を参照して、本発明の第１の実施形態によるフリップチップ発光ダイオードの第１の製造方法について説明する。図３は、包装体３００の概略的透視図である。図４Ａから４Ｇは、本発明の第１の実施形態によるフリップチップ発光ダイオードの第１の製造方法のステップを示す概略図である。
【００１４】
まず、図３および４Ａに示されているように、包装体３００が提供される。包装体３００は、マトリクス方式に配列された複数の発光ダイオードチップ３５を備え、発光ダイオードチップ３５の各々は、包装体３００の側面３０１上に露出された正極３５１および負極３５２を有する。好ましくは、発光ダイオードチップ３５は、正極および負極が包装体の側面上に露出され得る限り、フリップチップ発光ダイオードチップまたは表面実装デバイス（ＳＭＤ）発光ダイオードチップであってよい。
【００１５】
続いて、図４Ｂおよび４Ｃに示されているように、導電層として使用される第１金属層３１（すなわち導電性の薄い層）および第２金属層３２（すなわち導電性の厚い層）が包装体３００の側面３０１上にこの順で形成される。特に、第１金属層３１は、堆積、スパッタ、イオンビームスパッタ、化学めっき、または類似の方法によって包装体３００の側面３０１上に直接形成され、発光ダイオードチップ３５の各々の正極３５１および負極３５２と直接接触する。第２金属層３２は、電気めっき法によって第１金属層３１上に形成される。したがって、本発明において使用される第１金属層および第２金属層は、はんだを使用せずに前述の製造方法によって包装体の側面上に直接形成され、発光ダイオードチップの正極および負極と直接接触しているため、発光ダイオードチップの正極および負極がはんだを介して回路基板と接続されている従来の構造と比較して、本発明は、優れた接続特性、薄さ等の利点を有する。したがって、以下のステップで形成されたフリップチップ発光ダイオードは、柔軟性および低い熱抵抗を有し得る。
【００１６】
本発明では、２つの金属層（すなわち第１金属層３１および第２金属層３２）からなる導電層の例が示されているが、本発明はそれに限定されないことに留意すべきである。例えば、包装体の側面上に形成された単一の金属層を導電層として使用することができる。
【００１７】
図４Ｄから４Ｇを参照すると、導電層として使用される第１金属層３１および第２金属層３２に絶縁部３３および回路パターン（図示せず）を形成する方法が記載されている。図４Ｄに示されているように、初めに第２金属層３２の外面上に感光性接着剤の層３３０が形成され、次いで、図４Ｅに示されているように、フォトリソグラフィ法によって、マスク３３１を介して感光性接着剤の層３３０にパターン状の開口部３３２が形成される。次に、図４Ｆに示されているように、第１金属層３１および第２金属層３２は、第１金属層３１および第２金属層３２に絶縁部３３および回路パターン（図示せず）を形成するように、感光性接着剤の層３３０におけるパターン状開口部３３２を通してエッチングされる。発光ダイオードチップ３５の各々の正極３５１および負極３５２は、絶縁部３３によって互いに絶縁される。言い換えると、このステップにおいて、パターン状開口部３３２を有する感光性接着剤の層３３０は、エッチング用のマスク部として使用される。最後に、図４Ｇに示されているように、感光性接着剤の層３３０が、第２金属層３２の外面から除去される。こうして、包装体３００の側面３０１上に絶縁部および回路パターンを有する導体が形成される。
【００１８】
本実施形態では、フォトリソグラフィ法によってパターン状開口部を有して形成された感光性接着剤の層がエッチング用のマスク部として使用されているが、本発明はそれに限定されないことに留意すべきである。例えば、後のエッチングプロセスにおいて使用するためのマスク部を形成するために、パターン状開口部を有する感光性接着剤の層を、スクリーン印刷法によって第２金属層の外面上に直接印刷し、次いでパターン状開口部を通して第１金属層および第２金属層をエッチングすることもできる。したがって、同一の効果が得られる。
【００１９】
さらに、後の製造プロセスに便利なように、感光性接着剤の層のパターン状開口部を通して第１および第２金属層をエッチングするステップにおいて、第１および第２金属層に形成される絶縁部および回路パターンに加えて、第１および第２金属層に、図５における矢印ＣおよびＤによって示される切断経路もまた形成される。そして、フリップチップ発光ダイオード３（図１および２参照）が得られるように、包装体は、この切断経路に沿って切断される。この点に関して、しかしながら、切断経路は本発明には必ずしも必要ではない。実際には、金属層に切断経路を形成するステップは、単にのちの切断プロセスを容易にするためのものである。特に、切断経路が金属層に形成されていれば、包装体のみを切断すればよい。逆に、金属層に切断経路が形成されていなければ、包装体および金属層は、フリップチップ発光ダイオード３を形成するために、他の適当な方法（例えば、レーザー切断、ワイヤ切断等）によって切断することもできる。
【００２０】
図１および２に示されているような１つのフリップチップ発光ダイオード３を形成する場合以外にも必要に応じて、複数のフリップチップ発光ダイオード３を含む１次元アレイのフリップチップ発光ダイオード（図示せず）を形成するために、上述の切断ステップを使用することもできる。
【００２１】
一方で、マスク部を通して金属層をエッチングすることによって導体を包装体の側面上に形成する上述の方法を利用する以外にも、回路パターンを有する導体が形成されるように、導電材料（例えば銀ペースト）、導電性接着剤（例えば銀粉末、銀コート青銅粉末、グラフェン、カーボンナノチューブ等などの導電材料とポリマー材料で形成された接着剤）等を、スクリーン印刷法によって包装体の側面上に直接印刷し、高温または低温焼結法、熱硬化法等の適当な方法によって硬化することもできる。
【００２２】
次に、図３、５、６Ａから６Ｆ、および７を参照して、本発明の第１の実施形態によるフリップチップ発光ダイオードの第２の製造方法について記載する。図６Ａから６Ｆは、本発明の第１の実施形態のフリップチップ発光ダイオードの第２の製造方法のステップを示す概略図であり、図７は、図６Ｃの概略的透視図である。
【００２３】
図３および６Ａに示されているように、まず包装体３００が提供され、包装体３００は、マトリクス方式に配列された複数の発光ダイオードチップ３５を備え、発光ダイオードチップ３５の各々は、包装体３００の側面３０１上に露出した正極３５１および負極３５２を有する。
【００２４】
次に、図６Ｂに示されているように、包装体３００の側面３０１上に感光性接着剤の層３４０が形成され、図６Ｃに示されているように、フォトリソグラフィ法によって、包装体３００の側面３０１上に感光性接着剤の層３４０から仕切部３４１が形成される。特に、仕切部３４１は、発光ダイオードチップ３５の各々の正極３５１と負極３５２との間の位置に少なくとも形成される。好ましくは、仕切部３４１はまた、包装体３００がそれに沿って切断される切断経路の位置に形成される。包装体３００の側面上３０１上の仕切部３４１の例は、図７に示される。
【００２５】
図６Ｄおよび６Ｅに示されているように、包装体３００の側面３０１上の仕切部３４１が形成されている位置以外の位置には、導電層として使用される第１金属層３１（すなわち導電性の薄い層）および第２金属層３２（すなわち導電性の厚い層）が順に形成されている。第１金属層３１および第２金属層３２は、本発明の第１の実施形態によるフリップチップ発光ダイオードの第１の製造方法において使用されるものと同一の方法によって形成されるが、簡略化のために省略される。さらに、本発明の第１の実施形態によるフリップチップ発光ダイオードの第１の製造方法において先に記載したように、第１および第２金属層を形成する必要はなく、導電層として単一の金属層を使用することも可能である。
【００２６】
図６Ｆに示されているように、発光ダイオードチップ３５の各々の正極３５１および負極３５２を互いに絶縁する絶縁部３３を第１金属層３１および第２金属層３２に形成するために、包装体３００から仕切部３４１が除去される。この点において、本発明の第１の実施形態によるフリップチップ発光ダイオードの第２の製造方法は、図４Ｇに示される第１の製造方法の構造と同一の構造を製造した。最後に、フリップチップ発光ダイオード３（図１および２参照）を形成するために、第１の製造方法と同様に、第２の製造方法は、図５に示す切断経路に沿って（矢印ＣおよびＤで示されるように）包装体を切断するステップをさらに含み得る。
【００２７】
この方法において説明されているように、フォトリソグラフィ法で感光性接着剤の層３４０を処理することによって包装体３００の側面３０１上に仕切部３４１が形成されているが、仕切部３４１を形成する方法はそのような方法に限定されないことに留意すべきである。例えば、仕切部３４１は、包装体３００の側面３０１上に感光性接着剤または伝熱絶縁接着剤を直接スクリーン印刷することによって形成してよい。しかしながら、伝熱絶縁接着剤を包装体３００の側面３０１上に直接スクリーン印刷して仕切部３４１を形成する場合、金属層を形成するステップの後に、伝熱絶縁接着剤の存在が発光ダイオードチップ３５から生じる熱の放散を容易にすることができるため、図６Ｆに示されるように仕切部を除去するステップを実施する必要がない。
【００２８】
（第２の実施形態）
図８および９は、本発明の第２の実施形態によるフリップチップ発光ダイオードを示す。図８は、本発明の第２の実施形態によるフリップチップ発光ダイオードの概略的透視図であり、図９は、図８の線Ｃ−Ｃに沿った概略的断面図である。
【００２９】
図８および９を参照すると、本発明の第２の実施形態によるフリップチップ発光ダイオード４は、包装体４０、第１金属層４１、第２金属層４２、絶縁部４３、および伝熱絶縁接着剤の層４７を備える。包装体４０は、封止材料４９内に封止された発光ダイオードチップ４５を備える。発光ダイオードチップ４５の各々は、包装体４０の側面上に露出された正極４５１および負極４５２を有する。第１金属層４１は、包装体４０の側面上に形成され、発光ダイオードチップ４５の各々の正極４５１および負極４５２とそれぞれ接触している。第２金属層４２は、第１金属層４１上に形成される。絶縁部４３は、発光ダイオードチップ４５の各々の正極４５１および４５２を互いに絶縁するために第１金属層４１および第２金属層４２に形成された間隙であり得る。伝熱絶縁接着剤の層４７は、第２金属層４２の外面を被覆し、かつ絶縁部４３内に延在する。
【００３０】
第１の実施形態と同様に、第２の実施形態では、フリップチップ発光ダイオード４は２つの金属層（第１金属層４１および第２金属層４２）を備えるが、当業者であればこのような２つの金属層を単一の金属層またはより多くの金属層に置き替えることができ、包装体４０の側面上に形成される単一または複数の金属層が回路パターンを有し得ることを認識できる。さらに、第２の実施形態では、包装体４０が、封止材料４９内に封止された発光ダイオードチップ４５を備えることを単に示しているが、発光ダイオードチップ４５とともに作動する、電流制限抵抗、過電流保護素子、静電保護素子、および類似のもの等のその他の電気素子もまた封止材料４９内に封止され得る。
【００３１】
次に、本発明の第２の実施形態によるフリップチップ発光ダイオードの２つの異なる製造方法について説明する。
【００３２】
まず初めに、本発明の第２の実施形態のフリップチップ発光ダイオード４と本発明の第１の実施形態のフリップチップ発光ダイオード３との相違点は、単に第２の実施形態のフリップチップ発光ダイオード４が伝熱絶縁接着剤の層４７を有することのみであるため、第２の実施形態のフリップチップ発光ダイオード４の第１の製造方法は、図４Ａまたは図６Ｆに示される構造と同一である図１０Ａに示されているような構造を形成するために、図４Ａから４Ｇおよび図６Ａから６Ｆに示されるような第１の実施形態のフリップチップ発光ダイオードの第１および第２の製造方法のステップと同一のステップを含む。
【００３３】
特に、図１０Ａに示される構造は、包装体４００、包装体４００内の複数の発光ダイオードチップ４５、包装体４００の側面４０１上に形成された第１金属層４１、第１金属層４１上に形成された第２金属層４２、第１金属層４１および第２金属層４２に形成された絶縁部４３を備える。
【００３４】
次に、図１０Ｂに示されるように、伝熱絶縁接着剤の層４７を形成するように第２金属層４２の外面および絶縁部４３内に伝熱絶縁接着剤が塗布される。
【００３５】
最後に、図１０Ｂに示される構造を形成した後、図８および９に示されるフリップチップ発光ダイオード４が得られるように、図５に示されるような方法で切断ステップが実施され得る。
【００３６】
続いて、図１１Ａから１１Ｄは、本発明の第２の実施形態によるフリップチップ発光ダイオードの第２の製造方法を示す。
【００３７】
初めに、図１１Ａに示されているように、図４Ｃと同一の構造を製造するために、図４Ａから４Ｃに示される第１の実施形態のフリップチップ発光ダイオードの第１の製造方法のステップと同一のステップが使用される。図１１Ａに示される構造は、包装体４００、包装体４００内の複数の発光ダイオードチップ４５、包装体４００の側面４０１上に形成された第１金属層４１と、第１金属層４１上に形成された第２金属層４２を備える。
【００３８】
次いで、図１１Ｂに示されているように、パターン状開口部４７０を有する伝熱絶縁接着剤の層４７Ａを形成するように、第２金属層４２の外面上に伝熱絶縁接着剤がスクリーン印刷される。そして、図１１Ｃに示されているように、発光ダイオードチップ４５の各々の正極４５１および負極４５２を互いに絶縁する絶縁部４３および回路パターン（図示せず）を形成するように、第１金属層４１および第２金属層４２は、伝熱絶縁接着剤の層４７Ａにおけるパターン状開口部４７０を通してエッチングされる。
【００３９】
続いて、図１１Ｄに示されているように、絶縁部４３および伝熱絶縁接着剤の層４７Ａのパターン状開口部４７０の中に追加の伝熱絶縁接着剤４７Ｂが塗布される。好ましくは、伝熱絶縁接着剤の層４７Ａの材料は、追加の伝熱絶縁接着剤４７Ｂと同一のものであるが、本発明はそれに限定されない。
【００４０】
最後に、図１１Ｄに示されるステップを完了した後、図８および９に示されるフリップチップ発光ダイオード４が得られるように、図５に示されるような方法で切断ステップが実施され得る。
【００４１】
上述の実施形態によると、本発明において提案されるフリップチップ発光ダイオードは、はんだを使用することなく発光ダイオードチップの正極および負極と直接接触する導体（例えば、金属シート、金属層等）を備えることのみを必要とし、はんだを介して発光ダイオードチップの正極および負極と接続される従来のフリップチップ発光ダイオードに含まれる基板またはその他の素子を備える必要がないことが理解される。したがって、本発明のフリップチップ発光ダイオードは、フリップチップ発光ダイオードの全熱抵抗を効率的に低下させることができ、より優れた放熱効果を実現する。さらに、本発明において提案されるフリップチップ発光ダイオードおよびフリップチップ発光ダイオードの製造方法は、従来のフリップチップ発光ダイオードおよび従来のフリップチップ発光ダイオードの製造方法よりもずっと容易であるため、本発明において提案されるフリップチップ発光ダイオードおよびフリップチップ発光ダイオードの製造方法はさらに、発光ダイオードの製造コストを著しく低減する利点を有する。
【００４２】
上述の点において、特定の実施形態について説明したが、そのような実施形態は単に例として示されたものにすぎず、本発明の範囲を限定することを意図するものではない。実際には、本明細書に記載された実施形態は、多様な形態またはその他の異なる組み合わせによって実装することができる。添付の特許請求の範囲およびその等価物において、本発明の精神および範囲内にある多様な形態、組み合わせ、および修正を包含することが意図される。
【符号の説明】
【００４３】
３  フリップチップ発光ダイオード
３０、３００  包装体
３０１  側面
３１  第１金属層
３２  第２金属層
３３  絶縁部
３３０  感光性接着剤の層
３３１  マスク
３３２  開口部
３４０  感光性接着剤の層
３４１  仕切部
３５  発光ダイオードチップ
３５１  正極
３５２  負極
３９  封止材料
【図１】
2016152415.tif 000003
【図２】
2016152415.tif 000004
【図３】
2016152415.tif 000005
【図４Ａ】
2016152415.tif 000006
【図４Ｂ】
2016152415.tif 000007
【図４Ｃ】
2016152415.tif 000008
【図４Ｄ】
2016152415.tif 000009
【図４Ｅ】
2016152415.tif 000010
【図４Ｆ】
2016152415.tif 000011
【図４Ｇ】
2016152415.tif 000012
【図５】
2016152415.tif 000013
【図６Ａ】
2016152415.tif 000014
【図６Ｂ】
2016152415.tif 000015
【図６Ｃ】
2016152415.tif 000016
【図６Ｄ】
2016152415.tif 000017
【図６Ｅ】
2016152415.tif 000018
【図６Ｆ】
2016152415.tif 000019
【図７】
2016152415.tif 000020
【図８】
2016152415.tif 000021
【図９】
2016152415.tif 000022
【図１０Ａ】
2016152415.tif 000023
【図１０Ｂ】
2016152415.tif 000024
【図１１Ａ】
2016152415.tif 000025
【図１１Ｂ】
2016152415.tif 000026
【図１１Ｃ】
2016152415.tif 000027
【図１１Ｄ】
2016152415.tif 000028
【外国語明細書】
2016152415000001.pdf